(57)【要約】【課題】省エネルギー除煙オーブン構造を提供する。【解決手段】本考案の省エネルギー除煙オーブン構造は、吸気部材、受熱除煙部材、ロースト部材、焼入れ部材によって構成され、該吸気部材は、吸気ファンを設け、導管に接続し、受熱除煙部材の除煙入口導管と相互に接続する。受熱除煙部材は、若干の受熱除煙管及び煙塵入口導管と煙塵導管出口を設ける。ロースト部材は、ガス導入口と点火スイッチを設け、気体蓄積槽上に若干の噴火炉口を設ける。取り外し式のロースト部材は、焼物進入槽、焼物進入口、煙塵入口、煙塵出口煙塵導管及び上蓋を設ける。上記各構成部材の組み合わせによって、オーブン加熱の熱エネルギー効果を有効利用し、オーブン過程で発生する煙塵を除去し、別途熱源を増やすことなく、省エネルギー除煙の効果を達成する。【選択図】図１
0003147603.tif 000002
【実用新案登録請求の範囲】
【請求項１】
吸気ファンを設け、一端が導管に接続する吸気部材と、
両側にそれぞれ煙塵槽室を設け、煙塵槽室の一端にそれぞれ煙塵入口導管と煙塵出口導管を設け、且つ煙塵槽室間に若干の受熱除煙管を接続する受熱除煙部材と、
ガス導入口と点火スイッチを設け、気体蓄積槽上に若干の噴火炉口を設ける過熱部材と、
焼物進入槽を設け、槽内底部に焼物進入口を設け、焼物進入口上方の適当な箇所に煙塵入口を設け、ロースト室の後端上部に煙塵出口を設け、ロースト室内部に煙塵導管を設け、煙塵入口と煙塵出口を接続するロースト部材と、
を含み、前記構成部材の組み合わせによって、省エネルギー除煙オーブン構造を構成し、ロースト部材を点火し、噴火炉口が受熱除煙部材の受熱除煙管を予熱し、ロースト部材内に置かれた焼物料を加熱し、その過程で発生する煙塵がロースト部材の煙塵入口から煙塵導管を経て煙塵出口に達し、吸気部材によって煙塵を吸出し、導管を経て煙塵を受熱除煙部材の煙塵入口に送達し、煙塵槽室に進入させ、煙塵が中空の受熱除煙管を経由する時、予熱された受熱除煙管の熱エネルギーを利用し、煙塵を除去することができる省エネルギー除煙オーブン構造。
【請求項２】
前記ロースト部材は、取り外し、グリルと交換し、焼入れをさせることができる請求項１記載の省エネルギー除煙オーブン構造。
【請求項３】
前記受熱除煙部材の煙塵槽室、受熱除煙管は、何れも中空状であり、受熱除煙管が横向きに煙塵槽室を接続、通導する請求項１記載の省エネルギー除煙オーブン構造。
【考案の詳細な説明】
【技術分野】
【０００１】
本考案は、省エネルギー除煙オーブン構造に関し、特に、各構成部材間の導管の接続と通導によって、加熱部材を利用し受熱除煙管を予熱し、焼入部材内の焼入れ物に焼入工程を行い、吸気部材の吸気ファンを利用し焼入れ時に発生する煙塵を吸出し、受熱除煙部材の煙塵入口導管を導入し、中空状の受熱除煙部材内の煙塵通導効果によって、煙塵を既に予熱された受熱除煙管内に自然に導入し、焼入れ工程中に用いる同一熱エネルギーによって煙塵を除去し、同一熱源を使用し焼入れ、除煙する省エネルギー除煙効果を達成する省エネルギー除煙オーブン構造に関する。
【背景技術】
【０００２】
従来のオーブン構造は、熱源を有し、加熱、焼入れに用いる以外、その過程で生じる煙塵は、何れももう１つの熱エネルギーまたは電磁エネルギー部材を導入し、ロースト、焼入れ過程中に発生する煙塵を除去することに用い、この種の従来のオーブン構造は、比較的多くのエネルギー源を消費し、ロースト（焼入れ）、除煙効果を達成するが、明らかに環境保全の省エネルギーの要求を満たしておらず、改善の余地を有する。
【特許文献１】特開２００４−３２９１０７号公報
【考案の開示】
【考案が解決しようとする課題】
【０００３】
本考案の目的は、省エネルギー除煙オーブン構造を提供し、吸気部材、受熱除煙部材、加熱部材、ロースト部材によって構成され、中空導管を利用し、煙塵を受熱除煙部材に導入し、ロースト時の熱エネルギー効果によって、単一熱源がロースト（焼入れ）、除煙を完成する省エネルギー効果を達成することである。
【課題を解決するための手段】
【０００４】
本考案の省エネルギー除煙オーブン構造は、受熱除煙部材の一端にそれぞれ煙塵出、入口導管を設け、それぞれ煙塵槽室に接続し、煙塵槽室に幾つかの受熱除煙管を設け、該受熱除煙管は、中空状であり、その作用は、加熱部材の予熱をロースト（焼入れ）の熱源とすることができること以外に、煙塵が受熱除煙管内に導入される時、ロースト時の熱エネルギーを利用し、煙塵を除去することができる。
前記の省エネルギー除煙オーブン構造は、その吸気部材の導管が受熱除煙部材の煙塵入口導管と相互に接続し、煙塵を通導する。
【０００５】
本考案は、下記の特徴を有する。
（１）吸気ファンを設け、一端が導管に接続する吸気部材と、
両側にそれぞれ煙塵槽室を設け、煙塵槽室の一端にそれぞれ煙塵入口導管と煙塵出口導管を設け、且つ煙塵槽室間に若干の受熱除煙管を接続する受熱除煙部材と、
ガス導入口と点火スイッチを設け、気体蓄積槽上に若干の噴火炉口を設ける過熱部材と、
焼物進入槽を設け、槽内底部に焼物進入口を設け、焼物進入口上方の適当な箇所に煙塵入口を設け、ロースト室の後端上部に煙塵出口を設け、ロースト室内部に煙塵導管を設け、煙塵入口と煙塵出口を接続するロースト部材と、
を含み、前記構成部材の組み合わせによって、省エネルギー除煙オーブン構造を構成し、ロースト部材を点火し、噴火炉口が受熱除煙部材の受熱除煙管を予熱し、ロースト部材内に置かれた焼物料を加熱し、その過程で発生する煙塵がロースト部材の煙塵入口から煙塵導管を経て煙塵出口に達し、吸気部材によって煙塵を吸出し、導管を経て煙塵を受熱除煙部材の煙塵入口に送達し、煙塵槽室に進入させ、煙塵が中空の受熱除煙管を経由する時、予熱された受熱除煙管の熱エネルギーを利用し、煙塵を除去することができる省エネルギー除煙オーブン構造。
（２）前記ロースト部材は、取り外し、グリルと交換し、焼入れをさせることができる（１）記載の省エネルギー除煙オーブン構造。
（３）前記受熱除煙部材の煙塵槽室、受熱除煙管は、何れも中空状であり、受熱除煙管が横向きに煙塵槽室を接続、通導する（１）記載の省エネルギー除煙オーブン構造。
【考案の効果】
【０００６】
本考案は、省エネルギー除煙オーブン構造を提供し、吸気部材、受熱除煙部材、ロースト部材、焼入れ部材によって構成され、中空導管を利用し、煙塵を受熱除煙部材に導入し、焼入れ時の熱エネルギー効果によって、単一熱源が加熱、焼入れ、除煙を完成する省エネルギー効果を達成する。
【考案を実施するための最良の形態】
【０００７】
図２において、本考案は、加熱部材３を設け、その一端の適当な箇所に、ガス導入口３１を設け、ガスを中空の気体蓄積槽３３内に導入し、点火スイッチ３４の制御によって、噴火炉口３２を点火させ、本考案の熱源とする。
【０００８】
図１、図３において、本考案の受熱除煙部材２の中央部位に若干の中空状の受熱除煙管２３を設け、該受熱除煙管２３は、加熱部材３の噴火炉口３２上方に設けられ、受熱を加熱（オーブン）の熱源とし、且つ受熱除煙管２３は、両側が中空状の煙塵槽室２５，２６に接続し、該煙塵槽室２５，２６の一端にそれぞれ、煙塵導入口２１と煙塵導出口２６の一端にそれぞれ煙塵導入口２１と煙塵導出口２２を設け、煙塵導入口２１は、吸気部材１の導管１２と相互に通導し（図示せず）、煙塵を受熱煙塵部材２中に導入する。
【０００９】
図１、図４、図５において、本考案のロースト部材４は、一端の上部に焼物進入槽４２を設け、焼物を槽内の焼物進入口４３からロースト室４７に置き入れ、且つ焼物進入槽４２の上方に上蓋４６を設け、焼物進入口４３上方の適当な箇所に煙塵入口４４を設け、加熱時に発生する煙塵を導入し、煙塵をロースト室４７内に設ける煙塵導管４５を経由して通導し、煙塵出口４１によって吸気部材１の吸気ファン１１によって煙塵を吸出し、導管１２に導入する。
【００１０】
図６は、本考案のもう１つの好適実施例であり、使用者は、焼き入れとして用いる時、先ず、ロースト部材４を取り外し、グリル２４を受熱煙塵部材２の上に設置し、ロースト部材３の噴火炉口２２が受熱除煙部材２の受熱除煙管２３を予熱し、受熱除煙管２３の温度を焼入れの熱エネルギーとして提供し、焼入れ過程に発生する煙塵を、吸気ファン１１の作用によって、煙塵を吸入し、導管１２に沿って受熱除煙部材２の煙塵入口２１に通導し、煙塵がさらに、煙塵槽室２５を経て受熱除煙管２３内に通導し、受熱除煙管２３の焼き入れ用熱エネルギーとして利用し、煙塵を除去し、単一熱源が焼入れ（オーブン）及び除煙の効果を達成することができる。
【００１１】
上記のように、本考案は、単一の熱エネルギーを利用し、焼物の熱処理及び煙塵の除去を同時に行い、構成部材間の中空導管の通導機能を利用することを実用の設計とし、新規性を具備する考案に属し、法に基づき、専利の出願を提出し、審査を経て、早期に専利を賜ることを願うものである。
【図面の簡単な説明】
【００１２】
【図１】本考案の各構成部材の配置図である。
【図２】本考案のロースト部材の説明図である。
【図３】本考案の受熱除煙部材の説明図である。
【図４】本考案の吸気部材の説明図である。
【図５】本考案の焼入部材の説明図である。
【図６】本考案のもう１つの実施例図である。
【符号の説明】
【００１３】
１  吸気部材
１１  吸気ファン
１２  導管
２  受熱除煙部材
２１  煙塵入口
２２  煙塵出口
２３  受熱除熱管
２４  グリル
２５  煙塵槽室
２６  煙塵槽室
３  ロースト部材
３１  ガス導入口
３２  噴火炉口
３３  ガス蓄積槽
３４  点火スイッチ
４  焼入部材
４１  煙塵出口
４２  焼物進入槽
４３  焼物進入口
４４  煙塵入口
４５  煙塵導管
４６  上蓋
【図１】
0003147603.tif 000003
【図２】
0003147603.tif 000004
【図３】
0003147603.tif 000005
【図４】
0003147603.tif 000006
【図５】
0003147603.tif 000007
【図６】
0003147603.tif 000008